(57)【特許請求の範囲】
【請求項１】
容器本体と蓋体とを開閉自在に連結し、上記容器本体内に被収容物を収容する収容部を設けるとともに、上記容器本体と上記蓋体との間に弾性部材を配設し、上記蓋体を閉じた際に、上記弾性部材を上記収容部の上端縁に当接させて、上記収容部の気密性を保持するコンパクト容器において、
上記弾性部材が、上記蓋体の裏面に形成された凹部上に所定幅の空間を介して張設した伸縮性を有する膜とされ、上記収容部が、上記蓋体を閉じた際に上記容器本体から上記空間側に突出するよう上方に延設されるとともに、上記蓋体に、上記空間を外気と連通させ、上記蓋体を閉じた際における上記収容部による上記膜の上方への弾性変形に伴い上記空間内の空気を外気へ放出する通気孔が設けられていることを特徴とするコンパクト容器。
【請求項２】
上記収容部が、上記容器本体の底面から上方に突出する円環状の周壁部を具備し、この周壁部の上端縁と上記膜との当接により、上記収容部の気密性が保持されることを特徴とする請求項１記載のコンパクト容器。
【請求項３】
上記周壁部内に、上記被収容物を収容する中皿が配設されていることを特徴とする請求項２記載のコンパクト容器。
【請求項４】
上記収容部が、上記容器本体の底面から上方に突出する円環状の周壁部と、この周壁部内に配設され、上記被収容物を収容する中皿とを具備し、この中皿の上端縁と上記膜との当接により、上記収容部の気密性が保持されることを特徴とする請求項１記載のコンパクト容器。
【請求項５】
上記蓋体の裏面に、円環状の固定リングが上記凹部を取り囲んで嵌合され、上記膜が、その端部を上記蓋体の裏面と上記固定リングとの間に挟むことにより、上記凹部上に張設されていることを特徴とする請求項１，２，３または４記載のコンパクト容器。
【発明の詳細な説明】
【０００１】
【発明の属する技術分野】
本発明は、化粧品等を収容するコンパクト容器に係り、特に、被収容物を気密的に保持可能なコンパクト容器に関する。
【０００２】
【従来の技術】
例えば揮発性を有する化粧品等を被収容物とするコンパクト容器では、被収容物を気密的に保持する必要がある。このようなコンパクト容器としては、従来より、例えば実開平４−６０１０８号公報に開示のものが知られている。このコンパクト容器は、容器本体と蓋体とをその後方部で開閉自在に連結し、かつ蓋体の下面内周に、断面略Ｕ字状をなす弾性部材を環状に装着したものである。蓋体を閉じると、蓋体の下面に環状に垂設された押下片により、弾性部材が容器本体に上方から押し付けられ、容器本体内に収容された被収容物の気密的な保持が可能となる。
【０００３】
【発明が解決しようとする課題】
しかしながら、上記従来のコンパクト容器は、個々の部品の構造が複雑であるため、これら部品の製造に相応のコストがかかり、かつ組み立て作業が煩雑となるという問題があった。本発明は上記事情に鑑みてなされたもので、被収容物の気密的な保持が可能なコンパクト容器を、安価かつ容易に提供することをその目的としている。
【０００４】
【課題を解決するための手段】
本発明は、容器本体と蓋体とを開閉自在に連結し、上記容器本体内に被収容物を収容する収容部を設けるとともに、上記容器本体と上記蓋体との間に弾性部材を配設し、上記蓋体を閉じた際に、上記弾性部材を上記収容部の上端縁に当接させて、上記収容部の気密性を保持するコンパクト容器であって、特に、上記弾性部材が、上記蓋体の裏面上に所定幅の空間を介して張設した伸縮性を有する膜とされ、上記収容部が、上記蓋体を閉じた際に上記容器本体から上記空間側に突出するよう上方に延設されるとともに、上記蓋体に、上記空間を外気と連通させ、上記蓋体を閉じた際における上記収容部による上記膜の上方への弾性変形に伴い上記空間内の空気を外気へ放出する通気孔が設けられていることをその特徴としている。
【０００５】
【発明の実施の形態】
以下、図面に基づき、本発明に係るコンパクト容器の実施形態について、更に詳しく説明する。
【０００６】
図１及び図２は、本発明に係るコンパクト容器の実施形態の例（第１例）を示すもので、図１はコンパクト容器の分解状態の斜視図、図２は、コンパクト容器の断面の一部を拡大した図である。図中符号１は容器本体で、この容器本体１は上方視して楕円状をなし、かつその周囲には、上方に向け壁部１ａが立設されている。また、容器本体１の前端及び後端には、ロック機構２及び蓋体（後述）係止用の凹部３がそれぞれ形成されている。
【０００７】
符号４は、壁部１ａ内に嵌合されて容器本体１の上面を覆う中枠である。この中枠４には、左右にそれぞれ凹部５，６が形成されているが、このうち符号５で示す凹部は、上方視して円形をなし、かつその内周面は中枠４の上面から更に上方に延設され、円環状の周壁部７を形成している。ここで、周壁部７の高さは、図２に示すように、蓋体を閉じた際に、周壁部７の上端縁７ａが、蓋体に形成された空間（後述）側に突出するよう調節されている。
【０００８】
符号８は、例えば化粧品等の被収容物を収容するための中皿で、この中皿８は、凹部５の内径と略同径の外径を有する有底円筒状をなし、図２に示すように、上方から凹部５内に嵌合されている。そして、これら凹部５、周壁部７、及び中皿８から、収容部９が構成されている。一方、符号６で示す凹部は、例えばパフ等の化粧道具を収容するためのものである。
【０００９】
符号１０は蓋体で、この蓋体１０は上方視して容器本体１と同形状の楕円状をなし、かつその周囲には、蓋体１０を閉じた際に壁部１ａと対向するよう壁部１０ａが立設されている。更に、蓋体１０を閉じた際にロック機構２及び凹部３に対応する位置には、フック１１及び凸部１２がそれぞれ形成されている。また、符号１３は、凸部１２に、その長手方向に沿って挿通されたシャフトである。
【００１０】
符号１４は、蓋体１０の裏面１０ｂに、蓋体１０を閉じた際に凹部５と同軸をなすよう形成された凹部である。この凹部１４は、上方視して円形をなし、かつその内径は、周壁部７の外径より大径とされている。更に、凹部１４は、裏面１０ｂに張設した伸縮性を有する膜（弾性部材）１５により覆われ、その結果、凹部１４内には、凹部１４の裏面と膜１５とで囲まれた空間Ｓが形成される。
【００１１】
本例の場合、膜１５には、伸縮性及び気体に対する遮蔽性を有するシートを、凹部１４より大径の円形に切り取ったものが使用されている。また、膜１５の素材には、例えば天然ゴム、各種合成ゴム、アクリル系樹脂等が使用可能であるが、望ましくは、未延伸ナイロン、未延伸ウレタン等が使用される。更に、膜１５の色調は、コンパクト容器の美観を損なわないよう、薄い色または透明であることが望ましい。一方、膜１５の裏面１０ｂへの張設には、熱融着または接着等の方法が使用される。
【００１２】
符号１６は、壁部１０ａから凹部１４にかけての内周面に形成された溝状をなす通気孔で、空間Ｓを外気とは、この通気孔１６により連通されている。また、符号１７は、裏面１０ｂに凹部１４と隣接して固定された鏡である。そして、凹部３に凸部１２を嵌合し、容器本体１に、蓋体１０を、シャフト１３を支点として開閉自在に取り付けることにより、コンパクト容器が形成される。 また、蓋体１０を閉じる場合には、ロック機構２とフック１１とを係合させればよい。
【００１３】
ところで、本実施例の場合、裏面１０ｂに張設された伸縮性の膜１５により凹部１４内に空間Ｓが形成されるとともに、周壁部７の高さが、蓋体１０を閉じた際に、周壁部７の上端縁７ａが空間Ｓ側に突出するよう調節されている。そのため、蓋体１０を閉じると、周壁部７の上端縁７ａが下方から膜１５に当接し、図２中符号Ａで示す位置から符号Ｂで示す位置まで膜１５を押し上げつつ空間Ｓ側に突出する。
【００１４】
その結果、膜１５が周壁部７の上端縁７ａに弾性的に押し付けられて周壁部７の上端縁７ａに密着するため、収容部９の気密性が確保され、被収容物の気密的な保持が可能となる。また、上記従来のコンパクト容器に比べ、蓋体１０及び膜１５の構造が簡潔で、かつ蓋体１０に対する膜１５の配設も容易である。
【００１５】
すなわち、本例によれば、被収容物の気密的な保持が可能なコンパクト容器を、安価かつ容易に提供できる。更に、収容部９が全面にわたって膜１５により上方から覆われるため、膜１５が収容部９の蓋として作用し、収容部９からの被収容物の飛散が防止されるという効果もある。
【００１６】
また、周壁部７が膜１５を押し上げると空間Ｓの体積が減少するが、この減少分の空気は通気孔１６から外気へと放出されるため、空間Ｓの体積減少に伴い空間Ｓ内の空気が圧縮され、空間Ｓの内圧が上昇することはない。従って、周壁部７の空間Ｓ側への突出及び周壁部７の上端縁７ａと膜１５との当接がスムーズに行われる。
【００１７】
一方、ロック機構２とフック１１との係合を解除すると、符号Ｂで示す位置まで押し上げられていた膜１５が、自らの伸縮性により符号Ａで示す位置まで戻り、周壁部７の上端縁７ａを弾性的に下方に押圧する。その結果、ロック機構２とフック１１との係合の解除に伴い蓋体１０が自動的に上方に跳ね上がり、蓋体１０の開放が容易となる。
【００１８】
図３は、本発明に係るコンパクト容器の他の実施形態の例を示す、コンパクト容器の断面の一部を拡大した図である。この例では、円筒状をなす凹部５の上方に延設された周壁部７内に、被収容物を収容する中皿８が、その上端縁８ａが周壁部７の上端縁７ａを上方から覆うように配設されている。また、中皿８の高さは、蓋体１０を閉じた際に、中皿８の上端縁８ａが空間Ｓ側に突出するよう調節されている。一方、符号２０，２１は凹部５の内周面及び中皿８の外周面に周方向に沿ってそれぞれ形成された突起で、これら突起２０，２１の係合により、中皿８が凹部５内に保持されている。
【００１９】
蓋体１０を閉じると、中皿８の上端縁８ａが下方から膜１５に当接し、図３中符号Ａで示す位置から符号Ｂで示す位置まで膜１５を押し上げて空間Ｓ側に突出する。その結果、膜１５が上端縁８ａに弾性的に押し付けられて上端縁８ａに密着し、収容部９の気密性が確保され、被収容物の気密的な保持が可能となる。また、蓋体１０及び膜１５の構造が簡潔で、かつ蓋体１０に対する膜１５の配設も容易である。すなわち、本例においても、上記第１例と同様の優れた効果を有するコンパクト容器が得られる。
【００２０】
図４は、本発明に係るコンパクト容器の他の実施形態の例を示す、コンパクト容器の断面の一部を拡大した図である。この例では、裏面１０ｂに、環状をなす固定リング３０を、凹部１４を取り囲むよう嵌合固定するとともに、膜１５の端部を、蓋体１０の裏面と固定リング３０との間に挟んで支持させることにより、膜１５を凹部１４上に張設している。
【００２１】
ここで、裏面１０ｂへの固定リング３０の固定には、例えば超音波接着等の方法が用いられる。また、符号２２は中皿８の外周面に周方向に沿って形成された溝部で、この溝部２２と凹部５の内周面に形成された突起２０との係合により、中皿８が凹部５内に保持されている。そして、本例においても、上記第１例と同様の優れた効果を有するコンパクト容器が得られる。
【００２２】
なお、上記の各例では、被収容物を収容する凹部５と、パフ等を収容する凹部６とを、容器本体１の左右に並列配置したコンパクト容器について説明したが、本発明を、凹部５，６を容器本体１の前後に縦列配置したコンパクト容器や、凹部６のないコンパクト容器に適用したり、多段式コンパクト容器に適用することももちろん可能である。
【００２３】
【発明の効果】
以上説明した通り、本発明のコンパクト容器では、蓋体及び膜の構造が簡潔で、かつ蓋体に対する膜の配設も容易である。その結果、被収容物の気密的な保持が可能なコンパクト容器を、安価かつ容易に提供することが可能となる。
【図面の簡単な説明】
【図１】  本発明に係るコンパクト容器の実施形態の例を示す、コンパクト容器の分解状態の斜視図である。
【図２】  本発明に係るコンパクト容器の実施形態の例を示す、コンパクト容器の断面の一部を拡大した図である。
【図３】  本発明に係るコンパクト容器の実施形態の例を示す、コンパクト容器の断面の一部を拡大した図である。
【図４】  本発明に係るコンパクト容器の実施形態の例を示す、コンパクト容器の断面の一部を拡大した図である。
【符号の説明】
１  容器本体
７  周壁部
７ａ  周壁部の上端縁
８  中皿
８ａ  中皿の上端縁
９  収容部
１０  蓋体
１０ｂ  （蓋体の）裏面
１５  膜（弾性部材）
１６  通気孔
３０  固定リング
Ｓ  空間
【図１】
0003813202.tif 000002
【図２】
0003813202.tif 000003
【図３】
0003813202.tif 000004
【図４】
0003813202.tif 000005